(57)【要約】【課題】屋外に設置して使用するボックス収納型光ケーブル集線装置において、光ケーブルのコネクタ接続・解除を簡便かつ迅速に行い、ボックスを小型化する。【解決手段】五面体箱状のボックス２の奥面内側に配線基板３を配設し、配線基板３にジャック１３を配線基板３に直交させて取り付ける。光ケーブル２０の心線２１を保持しうる可倒式の心線保持手段７を付設してもよい。光ケーブル２０のコネクタ接続に際して、ボックス２内に光ケーブル２０を導入し、その心線２１を立体的に余長処理し、プラグ２２をジャック１３に挿着する。これにより、ボックス２内で配線基板の前方の空間を使ってプラグ２２をジャック１３に容易に差し込んだり抜いたりすることができる。光ケーブル２０の心線２１の取り回しの自由度が立体的な余長処理によって増大する。【選択図】　　　図１
2004126321.tif 000002
【特許請求の範囲】
【請求項１】
五面体箱状のボックス（２）の奥面内側に配線基板（３）を配設し、
この配線基板にジャック（１３）を当該配線基板に交差させて取り付けたことを特徴とするボックス収納型光ケーブル集線装置。
【請求項２】
光ケーブル（２０）の心線（２１）を保持しうる可倒式の心線保持手段（７）を付設したことを特徴とする請求項１に記載のボックス収納型光ケーブル集線装置。
【請求項３】
請求項１または請求項２に記載のボックス収納型光ケーブル集線装置（１）の配線基板（３）に光ケーブル（２０）をコネクタ接続する際に、前記ボックス収納型光ケーブル集線装置のボックス（２）内に光ケーブルを導入し、
この光ケーブルの心線を立体的に余長処理し、
この心線の先端のプラグ（２２）を前記ボックス収納型光ケーブル集線装置のジャック（１３）に挿着するようにしたことを特徴とする光ケーブル余長処理方法。
【発明の詳細な説明】
【０００１】
【発明の属する技術分野】
本発明は、主に屋外などに設置して使用するボックス収納型光ケーブル集線装置および光ケーブル余長処理方法に関するものである。
【０００２】
【従来の技術】
図２は従来のボックス収納型光ケーブル集線装置の代表例を示す図であって、（ａ）はその正面図、（ｂ）はその右側面図である。
【０００３】
従来この種のボックス収納型光ケーブル集線装置１においては、図２に示すように、ジャック１３を取り付けた配線基板３がケース６に収まった状態でボックス２の奥面内側に垂直に配設されており、この配線基板３に光ケーブル２０をコネクタ接続する際には、光ケーブル２０をボックス２内に導入し、光ケーブル２０の各心線２１の先端に取り付けられたプラグ２２を配線基板３のジャック１３に上向きに差し込む。このとき、光ケーブル２０としての特性を保証するため、すべての心線２１をその曲率半径が許容最小値（例えば、３０ｍｍ）を下回らない範囲でＣ字形の配線部品１５に引っ掛けて平面内で円弧を描くように取り回して余長処理していた（例えば、特許文献１、２参照）。
【０００４】
【特許文献１】特開２００１−１２４９３４号公報
【特許文献２】特開平８−２０１６３４号公報（図１、図５）
【０００５】
【発明が解決しようとする課題】
しかし、これでは次のような不都合があった。
【０００６】
第１に、ボックス２内では配線基板３の下方の空間が狭く、プラグ２２をジャック１３に差し込んだり抜いたりする作業がしづらいことから、光ケーブル２０をコネクタ接続したり、それを解除したりするのが面倒で手間がかかる。
【０００７】
第２に、光ケーブル２０の心線２１を平面的に余長処理しているため、心線２１の取り回しの自由度が小さくなり、ボックス２の幅および高さが増して大型化してしまう。
【０００８】
本発明は、このような事情に鑑み、光ケーブルのコネクタ接続・解除を簡便かつ迅速に行うことが可能なボックス収納型光ケーブル集線装置を提供することを第１の目的とし、ボックスを小型化することが可能な光ケーブル余長処理方法を提供することを第２の目的とする。
【０００９】
【課題を解決するための手段】
まず、本発明のうちボックス収納型光ケーブル集線装置に係る発明は、五面体箱状のボックス（２）の奥面内側に配線基板（３）を配設し、この配線基板にジャック（１３）を当該配線基板に交差させて取り付けて構成される。ここで、配線基板に対するジャックの交差角度は９０°（直角）が最も望ましい。こうした構成を採用することにより、光ケーブルのコネクタ接続に際して、ボックス内で配線基板の前方の空間を使ってプラグをジャックに容易に差し込んだり抜いたりすることが可能となる。
【００１０】
また、光ケーブル（２０）の心線（２１）を保持しうる可倒式の心線保持手段（７）を付設して構成される。かかる構成により、光ケーブルの心線の先端部分に無理な曲げ応力が加わる事態が生じなくなると同時に、心線保持手段の存在による作業スペースの減少が心線保持手段の可倒性によって緩和されるように作用する。
【００１１】
一方、本発明のうち光ケーブル余長処理方法に係る発明は、上記ボックス収納型光ケーブル集線装置（１）の配線基板（３）に光ケーブル（２０）をコネクタ接続する際に、前記ボックス収納型光ケーブル集線装置のボックス（２）内に光ケーブルを導入し、この光ケーブルの心線を立体的に余長処理し、この心線の先端のプラグ（２２）を前記ボックス収納型光ケーブル集線装置のジャック（１３）に挿着するようにして構成される。かかる構成により、光ケーブルの心線の取り回しの自由度が立体的な余長処理によって増大するように作用する。
【００１２】
なお、括弧内の符号は図面において対応する要素を表す便宜的なものであり、したがって、本発明は図面上の記載に限定拘束されるものではない。このことは「特許請求の範囲」の欄についても同様である。
【００１３】
【発明の実施の形態】
以下、本発明の実施形態を図面に基づいて説明する。
図１は本発明に係るボックス収納型光ケーブル集線装置の一実施形態を示す図であって、（ａ）は心線保持手段の可倒バーを倒した状態の正面図、（ｂ）は心線保持手段の可倒バーを倒した状態の右側面図、（ｃ）は心線保持手段の可倒バーを起こした状態の正面図、（ｄ）は心線保持手段の可倒バーを起こした状態の右側面図、（ｅ）は心線保持手段の心線ホルダーの斜視図である。
【００１４】
このボックス収納型光ケーブル集線装置１は、図１に示すように、五面体箱状のボックス２を有しており、ボックス２の開放面には扉５が開閉自在に取り付けられている。このボックス２の奥面内側には２枚の配線基板３がケース６に収まった状態で垂直に配設されており、各配線基板３にはそれぞれジャック１３が当該配線基板３に直交する形で水平に取り付けられている。また、ケース６上にはＣ字形の配線部品１５が載置されているとともに心線保持手段７が設けられており、心線保持手段７は一対の柱脚８、コの字形の可倒バー９、３個の心線ホルダー１０および２個のプランジャ１２から構成されている。すなわち、一対の柱脚８は所定の間隔を置いてケース６上に水平に立設されており、各柱脚８の上部にはそれぞれ孔８ａが形成されている。また、これら柱脚８間に跨る形でコの字形の可倒バー９が回動自在に取り付けられており、可倒バー９の両端にはそれぞれプランジャ１２が各柱脚８の孔８ａに係着自在に装着されている。さらに、可倒バー９上には３個の心線ホルダー１０が貼設されており、各心線ホルダー１０は、図１（ｅ）に示すように、ワンタッチ着脱式の機構を備えている。
【００１５】
ボックス収納型光ケーブル集線装置１は以上のような構成を有するので、このボックス収納型光ケーブル集線装置１の配線基板に光ケーブルをコネクタ接続する際には次の手順による。まず、図１（ｂ）に示すように、扉５を開けた後、この扉５を固定金具（図示せず）で固定する。その状態で、２個のプランジャ１２を柱脚８の孔８ａから引き抜き、可倒バー９を９０°回転させて下側に倒す。
【００１６】
次に、光ケーブル２０をボックス２内に導入し、各心線２１を配線部品１５に引っ掛けた後、すべての心線２１をその曲率半径が許容最小値（例えば、３０ｍｍ）を下回らない範囲で３次元空間内で円弧を描くように取り回して立体的に余長処理する。このとき、心線保持手段７の可倒バー９は下側に倒れており、広い作業スペースが確保されているため、心線保持手段７があるからといって配線作業の邪魔になる恐れはない。
【００１７】
次いで、心線保持手段７の可倒バー９を９０°回転させて水平に起こし、２個のプランジャ１２を柱脚８の孔８ａに押し込んで可倒バー９を固定した後、心線２１の一部分を心線ホルダー１０に挟み込んで固定する。すると、各心線２１はその立体的な余長処理によって取り回しの自由度が増大することから、ボックス２の幅および高さを減らして小型化することができる。
【００１８】
最後に、各心線２１の先端のプラグ２２を配線基板３のジャック１３に差し込む。このとき、ボックス２内で配線基板３の前方の空間を使ってプラグ２２をジャック１３に容易に差し込むことができるので、光ケーブル２０を簡便かつ迅速にコネクタ接続することが可能となる。
【００１９】
同様に、プラグ２２をジャック１３から抜く場合も、ボックス２内で配線基板３の前方の空間を使った作業が可能となるので、光ケーブル２０のコネクタ接続を簡便かつ迅速に解除することが可能となる。
【００２０】
【発明の効果】
以上説明したように、本発明のうち請求項１に係る発明によれば、光ケーブルのコネクタ接続に際して、ボックス内で配線基板の前方の空間を使ってプラグをジャックに容易に差し込んだり抜いたりすることが可能となることから、光ケーブルのコネクタ接続・解除を簡便かつ迅速に行うことが可能なボックス収納型光ケーブル集線装置を提供することができる。
【００２１】
また、本発明のうち請求項２に係る発明によれば、光ケーブルの心線の先端部分に無理な曲げ応力が加わる事態が生じなくなると同時に、心線保持手段の存在による作業スペースの減少が心線保持手段の可倒性によって緩和されることから、作業容易性を確保しつつ光ケーブルの心線の損傷を未然に防ぐことができる。
【００２２】
さらに、本発明のうち請求項３に係る発明によれば、光ケーブルの心線の取り回しの自由度が立体的な余長処理によって増大することから、ボックスを小型化することが可能な光ケーブル余長処理方法を提供することができる。
【図面の簡単な説明】
【図１】本発明に係るボックス収納型光ケーブル集線装置の一実施形態を示す図であって、（ａ）は心線保持手段の可倒バーを倒した状態の正面図、（ｂ）は心線保持手段の可倒バーを倒した状態の右側面図、（ｃ）は心線保持手段の可倒バーを起こした状態の正面図、（ｄ）は心線保持手段の可倒バーを起こした状態の右側面図、（ｅ）は心線保持手段の心線ホルダーの斜視図である。
【図２】従来のボックス収納型光ケーブル集線装置の代表例を示す図であって、（ａ）はその正面図、（ｂ）はその右側面図である。
【符号の説明】
１……ボックス収納型光ケーブル集線装置
２……ボックス
３……配線基板
７……心線保持手段
１３……ジャック
２０……光ケーブル
２１……心線
２２……プラグ
【図１】
2004126321.tif 000003
【図２】
2004126321.tif 000004